(57)【要約】【課題】デッキ板などの床板を、不陸のある下地面、例えばバルコニーの床面上に施工容易に水平に設置することができる床板の施工方法を提供する。【解決手段】孔６…と袋７点の備えられたデッキ板２を用い、該デッキ板２を水勾配で不陸のあるバルコニーの床面１上に水平状態となるようにセットした後、注入後硬化する材料９を用い、これを前記孔６…を通じて袋７点に注入することにより、該材料９…をデッキ板２とバルコニー床面１とにわたし、硬化させることで、前記セット状態のデッキ板２を前記材料９…を脚にしてバルコニーの床面１上に支承させる。【選択図】      図１
2006083574.tif 000002
【特許請求の範囲】
【請求項１】
床板を不陸のある下地面の上に水平状態となるようにセットした後、注入後硬化する材料を用い、これを床板と下地面とにわたすように注入し、硬化させることで、前記セット状態の床板を前記材料を脚にして下地面上に支承させることを特徴とする床板の施工方法。
【請求項２】
前記床板として、板面内に、前記材料を注入する孔が備えられると共に、裏面側に、孔を通じて注入される材料を受ける袋が備えられたものを用い、
床板をセットした後、前記材料を、前記孔を通じて袋に注入することにより、該材料を床板と下地面とにわたす請求項１に記載の床板の施工方法。
【発明の詳細な説明】
【技術分野】
【０００１】
本発明は、バルコニーデッキ等の床板の施工方法に関する。
【背景技術】
【０００２】
例えば、水勾配による不陸のあるバルコニーの床面にデッキ材等の床板を水平に設置しようとする場合、従来は、床板の裏面側に複数のネジ式レベル調整脚を備えさせ、各レベル調整脚で床板を水平となるようにレベル調整していく方法が採られていた。
【発明の開示】
【発明が解決しようとする課題】
【０００３】
しかしながら、ネジ式のレベル調整脚による調整では、各レベル調整脚に対するレベル調整操作に手間を要し、施工が非常に厄介であるという問題があった。
【０００４】
本発明は、上記のような問題点に鑑み、床板を不陸のある下地面の上に施工容易に水平設置することができる床板の施工方法を提供することを課題とする。
【課題を解決するための手段】
【０００５】
上記の課題は、床板を不陸のある下地面の上に水平状態となるようにセットした後、注入後硬化する材料を用い、これを床板と下地面とにわたすように注入し、硬化させることで、前記セット状態の床板を前記材料を脚にして下地面上に支承させることを特徴とする床板の施工方法によって解決される。
【０００６】
この方法では、床板を、下地面の不陸に追従されることなく水平にセットし、そして、注入後硬化する材料を床板と下地面とにわたすように注入し、硬化させることにより、床板は、水平セット状態を維持しながら、前記材料の硬化物を脚として、不陸のある下地面に安定良く支承され、床板を不陸のある下地面の上に施工容易に水平設置することができる。
【０００７】
上記の方法において、前記床板として、板面内に、前記材料を注入する孔が備えられると共に、裏面側に、孔を通じて注入される材料を受ける袋が備えられたものを用い、
床板をセットした後、前記材料を、前記孔を通じて袋に注入することにより、該材料を床板と下地面とにわたすようにするのもよい。
【０００８】
この場合は、床板の板面内に材料を注入する孔が備えられているので、前記材料の注入を該孔を通じて下向き作業で施工容易に行うことができる。しかも、床板の裏面側には孔を通じて注入される材料を受ける袋が備えられているので、材料が床板と下地面との間で広がらず、少ない材料でしっかりとした支承用脚部を形成することができ、また、材料として使用できるものの範囲を広くすることができる。
【発明の効果】
【０００９】
本発明は、以上のとおりのものであるから、床板を不陸のある下地面の上に施工容易に水平設置することができる。
【発明を実施するための最良の形態】
【００１０】
次に、本発明の実施最良形態を図面に基づいて説明する。
【００１１】
図１〜図４に示す実施形態は、バルコニーの床面１を下地面とし、その上に床板としての複数のデッキ板２…を施工する場合のものであり、バルコニーの床面１は、図１（イ）に示すように、排水口３…に向けて多方向からの水勾配が付けられた不陸のある床面に形成されている。
【００１２】
各デッキ板２は、建物の外壁４とバルコニーの腰壁５との間にわたせる長さ寸法を備えており、図２に示すように、面内には上下方向に貫通する材料注入孔６が複数箇所に分散して設けられており、裏面側には、各孔６…の位置に対応して、孔の開口部に面するように材料受け用の袋７…が備えられている。なお、袋７は、本来の袋形状をしていてもよいし、伸縮性を備えた膜状をしていて、材料を注入することによって、袋状に膨らむものであってもよい。また、袋７は、デッキ板２の裏面側に予め備えられたものであってもよいし、施工に際してデッキ板２の裏面側に取り付けられたものであってもよい。
【００１３】
施工は、図３（イ）（ロ）に示すように、バルコニーの床面１に対してデッキ板２を水平にセットするため、水勾配の下流側であるバルコニーの腰壁５に水平出し用の支承レール８を取り付け、そして、図３（ハ）及び図４（ニ）に示すように、各デッキ板２を、一端を支承レール８に支承させるようにしてバルコニーの床面１上にセットする。これにより、デッキ板２…は、バルコニーの床面１の不陸に追従することなく水平状態にセットされる。なお、水勾配の下流側が建物の外壁の側である場合には、支承レールは外壁側に取り付けてデッキ板の水平が出るようにすればよい。
【００１４】
しかる後、図４（ホ）（ヘ）に示すように、デッキ板２の上面側から、各孔６…内に向けて、注入後硬化する材料９…を注入する。材料９としては、例えば、ゾル−ゲル反応によってゲル化するエポキシ系等の速乾性等の硬化剤や、その他、モルタルなどであってもよい。
【００１５】
すると、各材料９…は、デッキ板２の背面側に備えられている袋７…に収容されていき、該袋７…が下方に膨んでいって、バルコニーの床面１上に接地し、バルコニーの床面１とデッキ板２とにわたされた状態になり、しばらくすると、硬化して、デッキ板２を支承する脚になる。こうして、デッキ板２…は、バルコニーの不陸のある床面１…上に、硬化した材料９からなる複数の脚に下から支えられた状態となってバルコニーの水勾配のある床面１上に水平に設置される。
【００１６】
なお、支承レール８は残しておくようにしてもよいし、デッキ板２に備えさせる孔６…の配置関係によって材料９…のみでデッキ板２を安定良く支承させることができる場合には、取り外されてもよい。
【００１７】
上記の施工方法では、デッキ板２を水勾配で不陸のある床面１上に水平にセットし、そして、注入後硬化する材料９…をデッキ板２とバルコニーの床面１とにわたすように注入することにより、該材料９…が硬化して、デッキ板２は、水平セット状態を維持しながら、硬化した材料９…を脚として、不陸のあるバルコニーの床面１に安定良く支承され、デッキ板２を不陸のあるバルコニーの床面１上に施工容易に水平に設置することができる。
【００１８】
しかも、上記の方法では、デッキ板２として、板面内に、材料注入用の孔６…が備えられ、裏面側に、孔６…を通じて注入される材料９…を受ける袋７…が備えられたものを用いるようにしているので、材料９…の注入を下向き作業で施工容易に行うことができ、また、材料９…が袋７…の作用によってデッキ板２とバルコニーの床面１との間で側方に広がらず、少ない材料９…でしっかりとした支承用脚部を形成することができる。
【００１９】
更に、材料９…を袋７…に収容しているので、材料９…が直接バルコニーの床面１と接触せず、そのため、材料９が接着性のあるものであっても、注入した材料によって、デッキ板２とバルコニーの床面１とが固着されることがなく、施工後のデッキ板２の取外しも容易に行うことができる。
【００２０】
また、材料９が、硬化後に弾力をもつ材料からなる場合は、脚それ自体が緩衝材として機能し、別途に緩衝材を用意しなくとも踏み心地の良いデッキ面を形成することができると共に、踏音の良好な遮音、防音機能を発揮することができる。
【００２１】
以上に、本発明の実施形態を示したが、本発明はこれに限られるものではなく、発明思想を逸脱しない範囲で各種の変更が可能である。例えば、本発明では、デッキ板２などの床板に形成する孔６の数や配置に制限はなく、例えば、両端を上記のような支承レールで支承する場合において、中間の一カ所を脚で支承すれば安定した支承状態が得られるような場合は、中間一カ所に材料注入孔が設けられたデッキ板を使用するようにしてもよい。
【００２２】
また、上記の実施形態では、不陸のある下地面がバルコニーの床面１であり、床板がデッキ板２である場合を示したが、下地面は、その他、屋上床面やテラス床面などの水勾配のある屋外の各種下地面であってよく、また、本発明の施工方法は、屋外に限らず、屋内において、浴室の水勾配のある洗い場床面を下地面とし、その上にすのこなどの床板を設置するような場合に用いることもできるし、要は、不陸のある下地面に床板を水平に設置する施工の方法として広く用いることができるものである。
【図面の簡単な説明】
【００２３】
【図１】実施形態を示すもので、図（イ）はバルコニーの床面の水勾配を示す平面図、図（ロ）は該床面にデッキ板を施工した状態を示す平面図、図（ハ）は図（ロ）のＩ−Ｉ線断面図である。
【図２】デッキ板を示すもので、図（イ）は平面図、図（ロ）は図（イ）のＩＩ−ＩＩ線断面図である。
【図３】図（イ）〜図（ハ）は、図４（ニ）〜（ヘ）と共に、施工の方法を順次に示す断面側面図である。
【図４】図（ニ）〜図（ヘ）は、図３（イ）〜（ハ）と共に、施工の方法を順次に示す断面側面図である。
【符号の説明】
【００２４】
１…バルコニー床面（不陸のある下地面）
２…デッキ板（床板）
６…材料注入孔
７…袋
９…注入後硬化する材料
【図１】
2006083574.tif 000003
【図２】
2006083574.tif 000004
【図３】
2006083574.tif 000005
【図４】
2006083574.tif 000006